(57)【要約】【課題】エレベータのリニューアル工事に際し、巻上機等の重量物を単純な作業工程で容易に機械室まで揚重することができるエレベータ機器の揚重方法を提供する。【解決手段】本発明のエレベータ機器の揚重方法は、エレベータのリニューアル工事に際し、昇降路６および最上階乗場１０に搬入装置９を設置する工程と、搬入装置９に設けられたチェーンブロック１２により新規の巻上機８を揚重する工程と、昇降路６頂部の機械室１に設けられた電動チェーンブロック３とチェーンブロック１２により巻上機８を昇降路６内へ搬入する工程と、巻上機８からチェーンブロック１２を取外して、巻上機８の向きを調整する工程と、電動チェーンブロック３により巻上機８を機械室１まで揚重する工程とを含んでいる。【選択図】図１
2016079002.tif 000002
【特許請求の範囲】
【請求項１】
エレベータのリニューアル工事に際し、所定の階床から昇降路内へ搬入したエレベータ機器を、昇降路の頂部に設けられた機械室へ揚重するエレベータ機器の揚重方法において、
昇降路内および最上階乗場に搬入装置を設置した後、この搬入装置によりエレベータ機器を最上階から昇降路内へ搬入して機械室まで揚重するようにしたことを特徴とするエレベータ機器の揚重方法。
【請求項２】
請求項１に記載のエレベータ機器の揚重方法において、前記搬入装置は、前記昇降路内で対向するエレベータガイドレール間に固定された支持材と、前記最上階乗場の床面上に立設された支柱と、前記支持材と前記支柱によって水平支持された揚重ビームと、前記揚重ビームに設けられた揚重装置とを備えていることを特徴とするエレベータ機器の揚重方法。
【請求項３】
請求項１に記載のエレベータ機器の揚重方法において、乗りかごの上方の昇降路内および最上階乗場に前記搬入装置を設置する工程と、前記搬入装置に設けられた第１揚重装置により前記エレベータ機器を揚重する工程と、前記機械室に設けられた第２揚重装置と前記第１揚重装置とにより前記エレベータ機器を昇降路内へ搬入する工程と、前記エレベータ機器から前記第１揚重装置を取外して、該エレベータ機器の向きを調整する工程と、前記第２揚重装置により前記エレベータ機器を前記機械室まで揚重する工程とを含むことを特徴とするエレベータ機器の揚重方法。
【発明の詳細な説明】
【技術分野】
【０００１】
本発明は、エレベータのリニューアル工事に際し、巻上機等のエレベータ機器を所定の階床から昇降路頂部の機械室へ揚重する揚重方法に関する。
【背景技術】
【０００２】
ビル新設時において、昇降路の頂部に設けられた機械室ヘエレベータ機器を揚重する作業は、建屋上部に設置したクレーンにより容易に行うことができる。しかし、経年的に老朽化した既設のエレベータ機器をリニューアル工事する場合、既にクレーンは建屋から撤去されているため、比較的軽量なエレベータ機器は作業者が階段等を使用して人力により機械室まで搬送するようにしている。また、エレベータ機器の中でも巻上機等の重量物は人力による搬入ができないため、クレーン車により建屋屋上まで揚重したり、建屋階段上に揚重装置を組立てて機械室まで揚重するようにしている。しかし、これらの揚重方法は、クレーン車の作業スペースを確保できなかったり、建屋階段上の揚重スペースや階段の強度を確保できなかったりと制約が多いものであった。
【０００３】
そこで従来より、巻上機等のエレベータ機器を最下階に停止させた乗りかごの床面に載置し、機械室床の開口部から昇降路内に垂下したロープの一端をエレベータ機器に固定した後、このロープを機械室に設置したロープ駆動装置により駆動することで、エレベータ機器を吊上げて機械室へ揚重するようにしたリニューアル工事の施工方法が提案されている（例えば、特許文献１参照）。
【先行技術文献】
【特許文献】
【０００４】
【特許文献１】特開平９−２０４８２号公報
【発明の概要】
【発明が解決しようとする課題】
【０００５】
特許文献１に記載されたエレベータ機器の揚重方法は、乗りかごの床面を作業床として巻上機等のエレベータ機器を載置した後、このエレベータ機器をロープで引き上げて機械室へ揚重するというものであるが、既設の乗りかごを解体した後、床以外を撤去して乗りかごの上部を開放する必要があるため、これらの作業に多くの手間と時間が掛かるという問題があった。また、エレベータ機器の揚重を開始する乗りかご位置が最下階であり、そこからエレベータ機器を機械室まで吊上げる必要があるため、エレベータ機器の揚重距離が長くなって時間が掛かるという問題もあった。
【０００６】
本発明は、このような従来技術の実情に鑑みてなされたもので、その目的は、エレベータのリニューアル工事に際し、巻上機等の重量物を単純な作業工程で容易に機械室まで揚重することができるエレベータ機器の揚重方法を提供することにある。
【課題を解決するための手段】
【０００７】
上記の目的を達成するために、本発明は、エレベータのリニューアル工事に際し、所定の階床から昇降路内へ搬入したエレベータ機器を、昇降路の頂部に設けられた機械室へ揚重するエレベータ機器の揚重方法において、昇降路内および最上階乗場に搬入装置を設置した後、この搬入装置によりエレベータ機器を最上階から昇降路内へ搬入して機械室まで揚重するようにしたことを特徴としている。
【発明の効果】
【０００８】
本発明のエレベータ機器の揚重方法によれば、エレベータのリニューアル工事に際し、わざわざ乗りかごを解体したり、昇降路内に特別な足場材や足場板を組合わせて設けなくても、重量物である巻上機等のエレベータ機器を単純な作業工程で容易に機械室まで揚重することができる。前述した以外の課題、構成および効果は、以下の実施形態の説明により明らかにされる。
【図面の簡単な説明】
【０００９】
【図１】本発明の実施形態例に係る揚重方法が適用されるエレベータシステムの要部を示す構成図である。
【図２】実施形態例に係る揚重方法で搬入装置を設置する工程を示す斜視図である。
【図３】図２の搬入装置により重量物を揚重する工程を示す斜視図である。
【図４】図３の重量物を昇降路内へ搬入する工程を示す斜視図である。
【図５】図４の重量物を機械室へ搬送する直前の状態を示す斜視図である。
【図６】図５の重量物を機械室へ搬送途中の状態を示す斜視図である。
【発明を実施するための形態】
【００１０】
発明の実施の形態について図面を参照して説明すると、図１に示すように、リニューアルするエレベータは、乗りかご１１が昇降する昇降路６の最上部に機械室１が設けられており、この機械室１の床には既設の巻上機の支持ビーム間に開口部５が設けられている。
【００１１】
リニューアル工事に際しては、エレベータ機器である既設の巻上機や制御盤等を機械室１から撤去し、しかる後、機械室１内に門型揚重雇２を設置する。門型揚重雇２には第２揚重装置として例えば電動チェーンブロック３が設けられており、電動チェーンブロック３のチェーン４先端に新規のエレベータ機器、例えば重量物である巻上機８が固定されている。また、昇降路６および最上階乗場１０に搬入装置９を設置し、この搬入装置９には第１揚重装置として例えばチェーンブロック１２が設けられており、チェーンブロック１２のチェーン１３先端にも巻上機８が固定されている。以下、図２〜図６に基づいて、これら２つの揚重装置（電動チェーンブロック３とチェーンブロック１２）により巻上機８を最上階乗場１０から機械室１まで搬送する作業工程について説明する。
【００１２】
まず、図２に示すように、昇降路６および最上階乗場１０に搬入装置９を設置する。この搬入装置９は、昇降路６内のエレベータガイドレール７間に固定された支持材９ｂと、最上階乗場１０の床面上に立設された伸縮可能な支柱９ｃと、これら支持材９ｂと支柱９ｃの上部に固定された揚重ビーム９ａと、電動チェーンブロック３のチェーン４を経由させるプーリ９ｄとから構成されている。
【００１３】
このように構成された搬入装置９を設置する手順を説明すると、まず、最上階から下方へ移動させた乗りかご１１上に作業者が乗り込み、乗りかご１１を吊りワイヤ等の保持具を用いて固定した後、乗りかご１１を吊持している図示せぬ主索を取外す。しかる後、乗りかご１１上で支持材９ｂを対向するエレベータガイドレール７間に固定し、最上階乗場１０の床面上に支柱９ｃを立設してから、これら支持材９ｂと支柱９ｃの上部に揚重ビーム９ａを固定する。その際、支柱９ｃは全長を変えられるように伸縮可能であるため、支柱９ｃを伸縮させることで揚重ビーム９ａが水平となるように調整する。最後に、揚重ビーム９ａにビームクランプ１４とチェーンブロック１２を取付け、これらの作業により搬入装置９の設置工程が完了する。
【００１４】
次に、図３に示すように、チェーンブロック１２のチェーン１３を巻上機８の頂部に設けられた図示せぬ穴に接続し、この状態でチェーンブロック１２を操作することにより、巻上機８を最上階乗場１０の床面から吊上げる。
【００１５】
次に、図４に示すように、機械室１内の門型揚重雇２に設けられた電動チェーンブロック３のチェーン４を最上階乗場１０まで届くよう垂下させた後、このチェーン４を巻上機８の頂部に接続する。しかる後、電動チェーンブロック３とチェーンブロック１２の両方を操作することにより、巻上機８を最上階乗場１０から昇降路６内へ搬入する。なお、その際に、巻上機８の荷重に対して支持材９ｂの強度が問題なければ、ビームクランプ１４をトロリに変更し、揚重ビーム９ａをレールとしてトロリを移動させることにより、巻上機８を昇降路６内へ搬入するようにしても良い。
【００１６】
次に、図５に示すように、昇降路６内へ搬入した巻上機８が機械室１から垂下したチェーン４のみで吊持可能な位置まで来たら、揚重ビーム９ａに設けられたチェーンブロック１２のチェーン１３を巻上機８から取外す。しかる後、巻上機８を機械室１へ揚重する準備段階として、機械室１まで揚重する際に巻上機８が支持材９ｂと接触しないように、巻上機８の向きを適正な姿勢に調整する。
【００１７】
次に、図６に示すように、機械室１の電動チェーンブロック３を操作して巻上機８を揚重し、この巻上機８をそのまま吊上げて開口部５を通過させて機械室１まで搬送する。その際、揚重ビーム９ａを支持材９ｂと支柱９ｃから取外して最上階乗場１０戸を閉扉することで、作業者を見張りとして配置することが不要となるため、作業者を他の作業へ従事させることが可能となる。
【００１８】
なお、機械室１から不要となった撤去品を降ろす場合は、前述した図２に示す作業工程から図６に示す作業工程を順次逆に行えば良い。
【００１９】
以上説明したように、本実施形態例に係るエレベータ機器の揚重方法によれば、わざわざ乗りかご１１を解体しなくても、あるいは、昇降路６内に特別な足場材や足場板を組合わせて設けなくても、重量物であるエレベータ機器（例えば巻上機８）を単純な作業工程で容易に機械室まで揚重することができる。したがって、従来技術で手間や時間が掛かっていたエレベータのリニューアル工事において、本実施形態例では施工工数および施工費用を低減させることができる。
【符号の説明】
【００２０】
１  機械室
２  門型揚重雇
３  電動チェーンブロック（第２揚重装置）
４  チェーン
５  開口部
６  昇降路
７  エレベータガイドレール
８  巻上機（エレベータ機器）
９  搬入装置
９ａ  揚重ビーム
９ｂ  支持材
９ｃ  支柱
９ｄ  プーリ
１０  最上階乗場
１１  乗りかご
１２  チェーンブロック（第１揚重装置）
１３  チェーン１３
１４  ビームクランプ
【図１】
2016079002.tif 000003
【図２】
2016079002.tif 000004
【図３】
2016079002.tif 000005
【図４】
2016079002.tif 000006
【図５】
2016079002.tif 000007
【図６】
2016079002.tif 000008